(57)【特許請求の範囲】
【請求項１】
音声情報を録音する機能を有する撮像装置において、
撮影の準備を行うための第１のスイッチと、
撮影の指示を行うための第２のスイッチと、
前記第１のスイッチが押されたことに応じて録音を開始する開始手段と、
前記開始手段で開始された録音を継続しながら、前記第２のスイッチが押されて撮影が実行された後から、予め設定された撮影後の録音時間が経過したことに応じて録音を終了する終了手段と、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する記録手段とを有し、
前記第１のスイッチが押されてから前記第２のスイッチが押されるまでの時間が、予め決められた撮影前の録音時間を超える場合には、前記記録手段は、前記第２のスイッチが押される前の前記撮影前の録音時間分の音声情報を、撮影前音声情報として前記記録媒体に記録し、
前記第２のスイッチが押されてから前記撮影後の録音時間が経過する前までに、前記第２のスイッチが再度押された場合には、前記記録手段は、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録することを特徴とする撮像装置。
【請求項２】
前記第２のスイッチが押されるまでの直近の、前記予め決められた撮影前の録音時間分の音声情報を保持するメモリを更に有することを特徴とする請求項１に記載の撮像装置。
【請求項３】
前記撮影前の録音時間を任意の時間に設定するための第１の設定手段と、
前記撮影後の録音時間を任意の時間に設定するための第２の設定手段とを有することを特徴とする請求項１または２に記載の撮像装置。
【請求項４】
前記第２のスイッチが１度目に押されてから前記撮影後の録音時間が経過する前までに、前記第２のスイッチが再度押されたことで得られた２つの画像を、前記撮影前音声情報と、前記第２のスイッチが２度目に押されてから前記撮影後の録音時間が経過するまでに録音した撮影後音声情報とを合わせた音声情報から構成された１つの音声ファイルに関連付けることを特徴とする請求項１に記載の撮像装置。
【請求項５】
音声情報を録音する機能を有する撮像装置の制御方法において、
撮影の準備を行うための第１のスイッチが押されたことに応じて録音を開始する開始工程と、
前記開始工程で開始された録音を継続しながら、撮影の指示を行うための第２のスイッチが押されて撮影が実行された後から、予め設定された撮影後の録音時間が経過したことに応じて録音を終了する終了工程と、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録工程と、
前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録工程と、
前記第２のスイッチが押されてから前記撮影後の録音時間が経過する前までに、前記第２のスイッチが再度押された場合には、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録する第３記録工程と
を備えることを特徴とする撮像装置の制御方法。
【請求項６】
音声情報を録音する機能を有する撮像装置の制御方法を当該撮像装置に実行させるプログラムにおいて、
前記撮像装置を、
撮影の準備を行うための第１のスイッチが押されたことに応じて録音を開始する開始手段、
前記開始手段により開始された録音を継続しながら、撮影の指示を行うための第２のスイッチが押されて撮影が実行された後から予め設定された撮影後の録音時間が経過したことに応じて録音を終了する終了手段、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録手段、
前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録手段、及び
前記第２のスイッチが押されてから前記撮影後の録音時間が経過する前までに、前記第２のスイッチが再度押された場合には、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録する第３記録手段として機能させるためのプログラム。
【発明の詳細な説明】
【技術分野】
【０００１】
本発明は、画像撮影（撮像）と同時に、音声情報を記録することが可能な撮像装置（電子カメラ、電子ビデオカメラ等）及びその制御方法、並びにプログラムに関する。
【背景技術】
【０００２】
撮影時の周囲の音や、撮影した画像に対するメモを音声で記録する電子カメラが知られている。この場合、録音動作は、撮影者が撮影した画像をカメラの液晶モニタに表示させながら録音スイッチを操作することにより行われていた。
【０００３】
ここで、被写体をファインダで覗きながら撮影のためのレリーズ操作と録音操作を同時に行った場合に、音声情報と画像情報をどのように関連付けるかが課題となっている。
【０００４】
そこで、特許文献１には、電子カメラの撮影動作に同期させて音声の録音開始を行う技術が提案されている。
【特許文献１】特開２００３‐２３００９０号公報
【発明の開示】
【発明が解決しようとする課題】
【０００５】
しかしながら、上記従来技術では、音声の録音開始タイミングが撮影準備動作と同期している場合、実際に撮影動作が行われるまで、無駄な音声情報を記録することになってしまい、肝心の画像撮影枚数に影響を与えてしまう。
【０００６】
逆に、実際に画像が生成される撮影動作と音声の録音開始タイミングを同期させた場合は、撮影前の周囲の雰囲気の音声情報を録音することができなくなってしまう。
【０００７】
本発明の目的は、撮影と同時に録音が行われる機能を有することを前提とし、操作を煩雑にすることなく、音声情報の録音開始及び終了のタイミングを撮影者が容易に変更することができる撮像装置及びその制御方法、並びにプログラムを提供することにある。
【課題を解決するための手段】
【０００８】
上記目的を達成するために、本発明の撮像装置は、音声情報を録音する機能を有する撮像装置において、撮影の準備を行うための第１のスイッチと、撮影の指示を行うための第２のスイッチと、前記第１のスイッチが押されたことに応じて録音を開始する開始手段と、前記開始手段で開始された録音を継続しながら、前記第２のスイッチが押されて撮影が実行された後から、予め設定された撮影後の録音時間が経過したことに応じて録音を終了する終了手段と、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する記録手段とを有し、前記第１のスイッチが押されてから前記第２のスイッチが押されるまでの時間が、予め決められた撮影前の録音時間を超える場合には、前記記録手段は、前記第２のスイッチが押される前の前記撮影前の録音時間分の音声情報を、撮影前音声情報として前記記録媒体に記録し、前記第２のスイッチが押されてから前記撮影後の録音時間が経過する前までに、前記第２のスイッチが再度押された場合には、前記記録手段は、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録することを特徴とする。
【００１０】
上記目的を達成するために、本発明の撮像装置の制御方法は、音声情報を録音する機能を有する撮像装置の制御方法において、撮影の準備を行うための第１のスイッチが押されたことに応じて録音を開始する開始工程と、前記開始工程で開始された録音を継続しながら、撮影の指示を行うための第２のスイッチが押されて撮影が実行された後から、予め設定された撮影後の録音時間が経過したことに応じて録音を終了する終了工程と、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録工程と、前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録工程と、前記第２のスイッチが押されてから前記撮影後の録音時間が経過する前までに、前記第２のスイッチが再度押された場合には、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録する第３記録工程とを備えることを特徴とする。
【００１２】
上記目的を達成するために、本発明のプログラムは、音声情報を録音する機能を有する撮像装置の制御方法を当該撮像装置に実行させるプログラムにおいて、前記撮像装置を、撮影の準備を行うための第１のスイッチが押されたことに応じて録音を開始する開始手段、前記開始手段により開始された録音を継続しながら、撮影の指示を行うための第２のスイッチが押されて撮影が実行された後から予め設定された撮影後の録音時間が経過したことに応じて録音を終了する終了手段、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録手段、前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録手段、及び前記第２のスイッチが押されてから前記撮影後の録音時間が経過する前までに、前記第２のスイッチが再度押された場合には、前記撮影前音声情報と、前記第２のスイッチが１度目に押されたときから前記第２のスイッチが２度目に押された後の前記撮影後の録音時間が経過するまでに録音した撮影後音声情報とを合わせた音声情報を前記記録媒体に記録する第３記録手段として機能させる。
【発明の効果】
【００１４】
本発明によれば、撮影と同時に録音が行われる機能を有することを前提とし、操作を煩雑にすることなく、音声情報の録音開始及び終了のタイミングを撮影者が容易に変更することができる。
【発明を実施するための最良の形態】
【００１５】
以下、本発明の実施の形態を図面を参照しながら詳細に説明する。
【００１６】
図１は、本発明の実施の形態に係る撮像装置としての電子カメラのブロック図である。
【００１７】
図１において、電子カメラ１００は、撮影レンズ１０１、絞り機能を備えるシャッター１０２、ＣＣＤ等により光学像（画像情報）を電気信号に変換する撮像素子１０３、ガンマ補正等の公知のカメラ信号処理を行うプロセス部１０４を備える。
【００１８】
また、電子カメラ１００は、プロセス部１０４のアナログ出力をデジタル信号化するＡ／Ｄ変換器１０５、適応離散コサイン変換（ＡＤＣＴ）等により画像情報の圧縮を行う画像圧縮部１０６を備える。
【００１９】
また、電子カメラ１００は、プロセス部１０４、Ａ／Ｄ変換器１０５へタイミング信号を出力するタイミング発生器１０７、外部の音声情報入力用のマイクロホン１０８を備える。
【００２０】
また、電子カメラ１００は、マイクロホン１０８より出力される音声信号のノイズを低減するノイズ低減部１０９、ノイズ低減部１０９のアナログ出力をデジタル信号化するＡ／Ｄ変換器１１０を備える。
【００２１】
また、電子カメラ１００は、適応差分ＰＣＭ（ＤＰＣＭ）等によりデータ圧縮する音声圧縮部１１１、メインメモリ１１２、バッファメモリ１１３を備える。
【００２２】
バッファメモリ１１３は、画像情報及び／または音声情報を一時記憶し、後述するメモリ制御部１１４により信号を所望の速度で読み出し可能なメモリである。
【００２３】
メモリ制御部１１４は、Ａ／Ｄ変換器１０５、画像圧縮部１０６、音声圧縮部１１１、バッファメモリ１１３を制御する。画像情報を圧縮する場合は、画像圧縮部１０６により圧縮画像情報が、また、画像情報を圧縮しない場合は、Ａ／Ｄ変換器１０５から出力される画像情報が、メモリ制御部１１４の制御下でバッファメモリ１１３に書き込まれる。
【００２４】
音声情報を圧縮する場合は、音声圧縮部１１１により圧縮音声情報が、また、音声情報を圧縮しない場合は、Ａ／Ｄ変換器１１０から出力される音声情報が、メモリ制御部１１４の制御下でバッファメモリ１１３に書き込まれる。
【００２５】
また、電子カメラ１００は、メモリカード１１７、１１８或いは外部機器とのインターフェース（Ｉ／Ｆ）１１５、１１６、メモリカード１１７、１１８と電子カメラ１００との電気的接続を行う電子カメラ側のコネクタ１１９、１２０を備える。
【００２６】
メモリカード１１７、１１８の記録部１２５、１２６には、メモリカード側のコネクタ１２１、１２２及びインターフェース（Ｉ／Ｆ）１２３、１２４介して外部から読み書きが行われる。
【００２７】
また、電子カメラ１００は、シャッター１０２を駆動制御するシャッター制御部１３０、撮影レンズ１０１内のフォーカシングレンズを駆動制御するズーム制御部１３１、被写体までの距離を測定する測距制御部１３２を備える。
【００２８】
また、電子カメラ１００は、被写体の明るさを測定する測光制御部１３３、フラッシュ１３４、電源の状態検出及び制御を行う電源制御部１４０、電源１４１を備える。電源１４１は、電池、ＤＣ−ＤＣコンバータ、通電するブロックを切り替えるスイッチ等により構成されており、電源制御部１４０によって制御される。
【００２９】
また、電源制御部１４０は、電池装着の有無、電池の種類、電池残量の検出を行い、検出結果及びシステム制御部１５０の指示に基づいて電源１４１を制御している。
【００３０】
また、電子カメラ１００は、カメラ動作状態（撮影枚数等）等を表示する表示部１５１、システム制御部１５０の撮影動作用定数、変数等を記憶するメモリ１５２、システム制御部１５０の起動プログラムを格納している不揮発性メモリ（ＲＯＭ）１５３を備える。
【００３１】
また、電子カメラ１００は、後述するシステム制御部１５０の各種の動作指示の入力をするためのスイッチ群１６０を備える。スイッチ群１６０には、メインスイッチ１６１、レリーズスイッチ１６２がある。
【００３２】
また、スイッチ群１６０には、レリーズスイッチ１６２の第１ストロークで閉成され、測距制御部１３２及び測光制御部１３３により測距及び測光を指示する測距測光スイッチ（レリーズＳＷ１）１６３がある。
【００３３】
また、スイッチ群１６０には、レリーズスイッチ１６２の第２ストロークで閉成され、画像情報のメモリカード１１７、１１８への記録を指示する記録スイッチ（レリーズＳＷ２）１６４がある。
【００３４】
また、スイッチ群１６０には、１枚または１組の撮影を行うシングル（Ｓ）モード、連続して複数枚のまたは複数組の撮影を行う連続（Ｃ）モード、及びセルフタイマ撮影モードを選択するモードスイッチ１６５がある。
【００３５】
また、スイッチ群１６０には、画像情報の記録枚数、フレーム記録／フィールド記録の区別、アスペクト比、画素構成、圧縮方式、圧縮率等の画像記録方式を選択する画像モードスイッチ１６６がある。画像モードスイッチ１６６は、図中では１つのスイッチとして書かれているが、複数のスイッチにより構成されている。
【００３６】
また、スイッチ群１６０には、音声情報記録のオン／オフを指定する音声記録オン／オフスイッチ１６７、画像表示オン／オフスイッチ１６８がある。
【００３７】
画像表示オン／オフスイッチ１６８により、システム制御部１５０は、メモリカード１１７、１１８から記録済みの画像情報を読み込み、Ｄ／Ａ変換器１７０を介して画像表示部１７１に画像情報を表示する。
【００３８】
システム制御部１５０は、スイッチ群１６０の指示、電子カメラ１００に装着されている記録媒体の種類及び該記録媒体の状態（残り記憶容量等）検出、その他、上述した電子カメラの各検出手段の検出結果に応じてカメラ全体の制御を行う。
【００３９】
例えば、システム制御部１５０は、測距制御部１３２の測定（測距）結果に従い、ズーム制御部１３１により撮影レンズ１０１のフォーカシングレンズを駆動して撮影レンズ１０１を合焦状態に制御する。
【００４０】
更に、システム制御部１５０は、測光制御部１３３の測光結果により最適露光量になるように、シャッター制御部１３０によりシャッター１０２の開放時間を決定する等の制御を行う。
【００４１】
本実施の形態においては、レリーズスイッチ１６２を操作することにより、画像情報と共に、音声情報を同時に記録することも可能である。
【００４２】
以下、画像情報と音声情報を同時に記録する場合の電子カメラの動作制御を、図２乃至図４のフローチャートを参照しながら詳細に説明する。
【００４３】
図２は、図１の電子カメラによって実行される撮影（撮像）処理の第１の実施の形態の手順を示すフローチャートである。
【００４４】
本フローチャートは、システム制御部１５０の制御と、撮影者による設定動作を含む。
【００４５】
図２において、電源投入により、システム制御部１５０は、フラグや制御変数等を初期化し、記録媒体（本実施の形態ではメモリカード１１７、１１８）が電子カメラ１００に装着されているかを判断する（ステップＳ２０１）。
【００４６】
このとき、記録媒体が電子カメラ１００に接続されていなければ、画像表示部１７１に警告を表示して（ステップＳ２０２）、フローはステップＳ２０１に戻る。
【００４７】
メモリカード１１７、１１８が装着されている場合は、画像ファイル（画像情報）、音声ファイル（音声情報）を記録する先を決定する（ステップＳ２０３）。画像ファイル、音声ファイルは、それぞれ異なるメモリカードに記録することが可能である。
【００４８】
次に、画像表示部１７１から、撮影前の録音時間を設定し（ステップＳ２０４）、かつ、撮影終了後の録音時間を設定する（ステップＳ２０５）。
【００４９】
ステップＳ２０４は、撮影前の録音時間を設定する第１の設定手段として機能する。
【００５０】
ステップＳ２０５は、撮影後の録音時間を設定する第２の設定手段として機能する。
【００５１】
撮影前の録音時間とは、撮影開始までの録音時間である。例えば、レリーズＳＷ１が押されて撮影準備がなされて、レリーズＳＷ２が押されて撮影が開始されるまでに１０秒かかったとして、撮影前の録音時間を３秒に設定したとする。すると、レリーズＳＷ１が押されて撮影準備がなされてから７秒が経過した後の３秒が撮影前の録音時間である。
【００５２】
レリーズＳＷ１は、撮影の準備を行う第１のスイッチ手段である。レリーズＳＷ２は、撮影の指示を行う第２のスイッチ手段である。
【００５３】
後述するように、レリーズＳＷ１が押されると、音声情報がバッファメモリ１１３に記録されるが、そのうち、最後の３秒分の音声情報がメモリカードに保存される。
【００５４】
この設定値は、撮影者が任意で設定できる値となっており、撮影者に表示する撮影記録可能枚数は、上記設定値によって変化するものとする。
【００５５】
以上の設定を行った後、レリーズスイッチ１６２によるスイッチ半押し動作（レリーズＳＷ１が押される）が検出されると（ステップＳ２０６）、ステップＳ２０７に進む。
【００５６】
ステップＳ２０７では、マイクロホン１０８から抽出されたアナログ音声情報を、Ａ／Ｄ変換器１１０によりデジタルの音声情報に変換して、バッファメモリ１１３に取り込み始める。
【００５７】
ステップＳ２０７は、第１のスイッチ手段が押されると、音声情報の第１の記録媒体（バッファメモリ１１３）への取り込みを開始する取り込み開始手段として機能する。
【００５８】
このとき、音声取り込み時間が、ステップＳ２０４で設定した時間を経過した場合（ステップＳ２１０）、バッファメモリ１１３に記録してある音声情報領域に対して、古いデータ部分から上書きを行う（ステップＳ２０９）。このことで、無駄なメモリ領域を使用しないものとする。
【００５９】
また、音声情報取得中にレリーズＳＷ１が離された場合は（ステップＳ２０８）、音声情報の取り込みを中止し、かつ、バッファメモリ１１３に記録した音声情報も消去し、撮影動作を終了する。
【００６０】
一方、レリーズスイッチ１６２によるスイッチ全押し動作（レリーズＳＷ２が押される）が検出されると（ステップＳ２１１）、画像情報を取得し、画像ファイルを生成し、ステップＳ２０３で決定したメモリカードに対して、画像ファイルを記録する（ステップＳ２１２）。
【００６１】
その後、ステップＳ２０５で設定した撮影後の録音時間が経過すると（ステップＳ２１３）、音声情報の取り込みを終了し（ステップＳ２１４）、ステップＳ２１５に進む。
【００６２】
ステップＳ２１４は、第２のスイッチ手段が押されて、画像情報が取得された後に、第２の設定手段で設定された撮影後の録音時間の経過時に、音声情報の第１の記録媒体への取り込みを終了する取り込み終了手段として機能する。
【００６３】
ステップＳ２１５では、撮影者が設定した撮影前の録音時間分と、撮影中の録音時間分と、撮影後の録音時間分を合わせた音声情報を、音声ファイルとしてバッファメモリ１１３からステップＳ２０３で決定したメモリカードへ記録し、撮影動作を終了する。
【００６４】
ステップＳ２１５は記録手段として機能する。記録手段は、取り込み終了手段により音声情報の第１の記録媒体への取り込みが終了したときに、以下のように動作する。即ち、記録手段は、第１の記録媒体に記録されている音声情報のうち、第１の設定手段により設定された撮影前の録音時間に録音された音声情報以降の音声情報を、第１の記録媒体とは異なる第２の記録媒体（メモリカード）に記録する。
【００６５】
以上のフローが、画像情報１枚に対して、１つの音声ファイルを記録媒体に記録するという本発明の最も単純なシーケンスである。
【００６６】
本実施の形態によれば、レリーズＳＷ１が押されると、撮影準備動作が行われると同時に録音処理が開始される。そのうちの撮影前の録音時間分の音声情報と、実際に画像が生成されるレリーズＳＷ２が押されてから、撮影後の録音時間後までに電子カメラ１００のバッファメモリ１１３に取り込んだ音声情報とを合わせて音声ファイルとしてメモリカードに記録する。
【００６７】
そのため、撮影した画像情報に対する前後の音声情報を撮影者が設定した時間分のみ画像情報に関連付けて記録媒体に記録することが可能となる。
【００６８】
即ち、本実施の形態では、非常の事態により撮影を中止した場合や、レリーズＳＷ１が押されてからレリーズＳＷ２が押されるまでの期間が異常に長い場合でも、音声情報を電子カメラのメモリに上書きしていくだけである。従って、記録媒体の容量即ち、画像撮影可能枚数に影響を与えることはない。
【００６９】
尚、電子カメラ特有の長秒時撮影といったレリーズＳＷ１が押されてからレリーズＳＷ２が押されるまでの期間が予め分かっているような撮影モードの場合の処理を図３のフローチャートを用いて説明する。
【００７０】
図３は、図１の電子カメラによって実行される撮影（撮像）処理の第１の実施の形態の変形例の手順を示すフローチャートである。
【００７１】
図２と同一の処理は、同一のステップ番号を付して、重複する説明は省略する。
【００７２】
本変形例では、画像撮影タイミングが予め分かっている撮影モードの場合は、レリーズＳＷ１で音声情報の取得を開始しない。レリーズＳＷ１が押されてから（ステップＳ２０６）、レリーズＳＷ２が押されるタイミングまでの間で、撮影者が設定した時間分前から（ステップＳ３０１）、音声情報を取り込み始める（ステップＳ２０７）。
【００７３】
ステップＳ３０１は、第１のスイッチ手段が押されると、第２のスイッチ手段が押されるまでの残り時間が第１の設定手段で設定された撮影前の録音時間になったか否か判断する判断手段として機能する。
【００７４】
レリーズＳＷ２が押されると（ステップＳ３０２）、ステップＳ２１２以下の処理を実行する。
【００７５】
このようにすることで、消費電力を抑えることが可能になる。
【００７６】
図４は、図１の電子カメラによって実行される撮影（撮像）処理の第２の実施の形態の手順を示すフローチャートである。
【００７７】
図２と同一の処理は、同一のステップ番号を付して、重複する説明は省略する。
【００７８】
第１の実施の形態で説明したように、本発明は、画像撮影後に撮影者設定時間分、音声情報の取得を続けることを特徴としている。そのため、その間に、次の画像を撮影するためのレリーズＳＷ１の押し動作が検出されることが考えられる（ステップＳ４０１）。
【００７９】
ステップＳ４０１は、第２の設定手段で設定された撮影後の録音時間の経過前に、第１のスイッチ手段が押されたか否か判断する第１の判断手段として機能する。
【００８０】
そのとき、レリーズＳＷ２が押されるまでに、ステップ４０１の動作に対して、設定した撮影前の録音時間が経過しているかどうかを判断する（ステップＳ４０４）。
【００８１】
ステップＳ４０４は、第１の判断手段により第１のスイッチ手段が押されたと判断された場合に、第２のスイッチ手段が押されるまでに、撮影前の録音時間が経過したか否か判断する第２の判断手段として機能する。
【００８２】
ここで、撮影前の録音時間をすでに経過している場合は、次に、撮影後の録音時間が経過しているかを判断する（ステップＳ４０５）。
【００８３】
ステップＳ４０５は、第２の判断手段により撮影前の録音時間が経過したと判断された場合に、撮影後の録音時間が経過したか否か判断する第３の判断手段として機能する。
【００８４】
このとき、撮影後の録音時間も経過してしまっている場合か、レリーズＳＷ１を離して（ステップＳ４０２）撮影動作をキャンセルした場合に、始めて１枚目の画像に対する音声ファイルをメモリカードに記録する（ステップＳ４０６）。
【００８５】
ステップＳ４０６は、第３の判断手段により撮影後の録音時間が経過したと判断された場合に、１枚目の画像情報に対する音声情報を第２の記録媒体に記録する第２の記録手段として機能する。
【００８６】
また、上述したステップＳ４０４、ステップＳ４０５でいずれも録音時間を経過する前にレリーズＳＷ２が押された場合（ステップＳ４０３）は、ステップＳ２０７から取り込み開始された音声情報の取り込み終了ポイントは、以下のようになる。即ち、撮影後の録音時間の経過後となる。
【００８７】
図５は、図１の電子カメラによって実行される撮影（撮像）処理の第２の実施の形態のシーケンスを示す図である。
【００８８】
ステップＳ２０７から取り込まれた１つの音声ファイル５０１は、ステップＳ２１１の処理で生成された画像ファイル５０３と、ステップＳ４０３の処理で生成された画像ファイル５０５からなる複数の画像ファイルに対応付けられて記録媒体に保存される。
【００８９】
次に、これら複数の画像と１つの音声ファイルをスライドショーで再生する場合について説明する。
【００９０】
本実施の形態では、実際に画像を撮影する前に、撮影者がステップＳ２０４により設定した時間前５０７から音声録音が開始されている。そのため、図５で示すように、音声ファイル再生時刻５０８と実際に画像を撮影した画像撮影時刻はずれてしまうことが考えられる。
【００９１】
そのため、本発明では、スライドショー再生時においては、音声ファイル再生時刻５０８と画像ファイル再生時刻５０９を合わせるために、上記撮影者がステップＳ２０４により設定した時間分多く、画像ファイル５０３を表示することが可能である。
【００９２】
また、本発明では、１つの音声ファイルに対して複数の画像ファイルを関連付けて記録してあるため、図４におけるステップＳ４０３の処理で生成された画像ファイル５０５は、実際にレリーズＳＷ２が押されたタイミングでスライドすることが可能となる。
【００９３】
このように、本発明によれば、撮影した画像に対する前後の音声を撮影者が設定した時間分のみ画像情報に関連付けて記録媒体に記録することが可能である。また、複数の画像を１つの音声ファイルに関連付けて管理することにより、スライドショー再生を行うときに、画像が切り替わる度に音声が途切れることなく、撮影を行った周囲の雰囲気を容易に再現することが可能となる。従って、臨場感溢れる画像鑑賞を行うことが可能となる。
【００９４】
また、本発明の目的は、以下の処理を実行することによって達成される。即ち、上述した実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００９５】
この場合、記憶媒体から読み出されたプログラムコード自体が前述した実施の形態の機能を実現することになり、そのプログラムコード及び該プログラムコードを記憶した記憶媒体は本発明を構成することになる。
【００９６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００９８】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９９】
【図１】本発明の実施の形態に係る撮像装置としての電子カメラのブロック図である。
【図２】図１の電子カメラによって実行される撮影（撮像）処理の第１の実施の形態の手順を示すフローチャートである。
【図３】図１の電子カメラによって実行される撮影（撮像）処理の第１の実施の形態の変形例の手順を示すフローチャートである。
【図４】図１の電子カメラによって実行される撮影（撮像）処理の第２の実施の形態の手順を示すフローチャートである。
【図５】図１の電子カメラによって実行される撮影（撮像）処理の第２の実施の形態のシーケンスを示す図である。
【符号の説明】
【０１００】
１００  電子カメラ
１０１  撮影レンズ
１０３  撮像素子
１０４  プロセス部
１０６  画像圧縮部
１０８  マイクロホン
１１１  音声圧縮部
１１２  メインメモリ
１１３  バッファメモリ
１１４  メモリ制御部
１１７  メモリカード
１１８  メモリカード
１５０  システム制御部
１６２  レリーズスイッチ
１６３  レリーズＳＷ１
１６４  レリーズＳＷ２
１７１  画像表示部
【図１】
0005188277.tif 000002
【図２】
0005188277.tif 000003
【図３】
0005188277.tif 000004
【図４】
0005188277.tif 000005
【図５】
0005188277.tif 000006